(57)【要約】      （修正有）【課題】長時間の真空度を維持でき、低コスト及び輸送に便利等の特徴を持つ流体案内装置およびそれを備える真空容器を提供する。【解決手段】流体案内装置は、テーパー部２０１及びテーパー部２０１の底面の中心部から延びるガイドブッシュ２０２を有し、テーパー部２０１が底面の縁部からその径方向に沿って、中心側へガイドブッシュ２０２まで延びる第一流体案内溝２０１ａを有し、ガイドブッシュ２０２はその長手方向に沿って形成された第二流体案内溝２０２ａを有し、第一流体案内溝２０１ａが第二流体案内溝２０２ａと連通しているテーパーピストン２０と、上部開孔とガイドパスを有するテーパーピストンガイド部とを備え、ガイドブッシュ２０２がガイドパスに挿入され、ガイドパスはガイドブッシュ２０２と互いに嵌め合い、そしてテーパー部２０１がガイドパス内に入れず、ガイドパスは上部開孔と連通しており、第二流体案内溝２０２ａは上部開孔と連通している。【選択図】図５Ａ
0003216854.tif 000002
【実用新案登録請求の範囲】
【請求項１】
テーパー部及び前記テーパー部の底面の中心部からその中心軸方向に延びるガイドブッシュを有し、前記テーパー部が前記底面の縁部からその径方向に沿って、中心側へ前記ガイドブッシュまで延びる第一流体案内溝を有し、前記ガイドブッシュはその長手方向に沿って形成された第二流体案内溝を有し、前記第一流体案内溝が前記第二流体案内溝と連通しているテーパーピストンと、
上部開孔とガイドパスを有するテーパーピストンガイド部と、
を備え、
前記ガイドブッシュが前記ガイドパスに挿入され、前記ガイドパスは前記ガイドブッシュと互いに嵌め合い、そして前記テーパー部が前記ガイドパス内に入れず、前記ガイドパスは前記上部開孔と連通しており、前記第二流体案内溝は前記上部開孔と連通している流体案内装置。
【請求項２】
前記テーパー部のテーパー面が気密リング収納溝を有する、請求項１に記載の流体案内装置。
【請求項３】
前記テーパー部のテーパー面上に直接気密構造を形成する、請求項１に記載の流体案内装置。
【請求項４】
さらに、頭部と前記頭部の底面から延びる柱状本体を有し、且つ取外し可能に前記テーパーピストンガイド部の前記上部開孔内に取付けられる漏れ防止プラグと、
を備え、
前記柱状本体の底部が前記ガイドブッシュの上縁と点接触をなし、前記テーパーピストンを押さえる、請求項１〜３のいずれか１項に記載の流体案内装置。
【請求項５】
前記上部開孔の孔壁に制限部が設けられ、前記制限部が前記漏れ防止プラグの前記頭部の前記底面を当てて前記漏れ防止プラグの下に向けた移動を制限する、請求項４に記載の流体案内装置。
【請求項６】
前記テーパーピストンガイド部の上面に工具差込孔が設けられ、前記工具差込孔に工具を差し込んで前記テーパーピストンガイド部の取外し又は取付が行える、請求項１〜３のいずれか１項に記載の流体案内装置。
【請求項７】
前記漏れ防止プラグの上面に工具差込孔が設けられ、前記工具差込孔に工具を差し込んで前記漏れ防止プラグの取外し又は取付が行える、請求項４に記載の流体案内装置。
【請求項８】
側壁と底部を有し、前記側壁と前記底部とが開口部及び保存空間を画定し、前記底部の中央部が前記保存空間の側へ凹んで凹部を形成し、前記凹部が前記保存空間と連通しており、気密リング収納溝が前記凹部に設けられる容器本体と、
前記凹部内に取付けられる圧力リリーフノブと、
上部と側壁を有し、取外し可能に前記開口部に取付けられ、前記上部に第一取付孔と第二取付孔が設けられ、前記第二取付孔が前記第一取付孔の上方に配置され且つ前記第一取付孔と連通しており、前記第一取付孔が前記保存空間と連通しており且つテーパー状孔壁を有し、前記上部の内側に気密リング収納溝が設けられる上蓋と、
請求項１〜７のいずれか１項に記載の流体案内装置と、
を備え、
前記テーパー部が前記第一取付孔に挿入され、前記テーパー状孔壁と嵌め合い、前記テーパーピストンガイド部が前記第二取付孔内に取付けられる、真空容器。
【請求項９】
前記上蓋の前記上部に更に第三取付孔及び前記第三取付孔と連通している通孔が設けられ、前記通孔は前記保存空間と連通しており、
前記真空容器が更に、前記第三取付孔内に取付けられ且つ前記上蓋から露出している真空表示部材と透明カバーとを有し、
前記透明カバーは前記真空表示部材を覆い、外部環境と連通している開孔を有し、
前記真空表示部材はベローズ及び前記ベローズと連通している吸盤状底部を有し、前記吸盤状底部は、前記ベローズと前記保存空間とを互いに連通させるように前記通孔を覆い、
前記保存空間が負圧状態のとき、前記ベローズは収縮変形でき、前記保存空間が常圧状態のとき、前記ベローズは元の形状に回復できる、請求項８に記載の真空容器。
【考案の詳細な説明】
【技術分野】
【０００１】
本考案は、流体案内装置並びにそれを備えた真空容器に関する。
【背景技術】
【０００２】
一般に、家庭生活の中または工業生産プロセスにおいて、通常は、例えば周囲の環境変化の影響を受けやすい食材や、または工業原料を真空環境において保存するといった、物品を真空環境に保存する需要が存在する。
【０００３】
しかしながら、一般に市販されている家庭用真空パックの漏えい防止の手段は簡単すぎて長時間の真空度を保つことが困難であり、また工業用真空保存システムの漏えい防止手段は複雑すぎ、高コスト且つ運送には不利なものであった。
【考案の概要】
【課題を解決するための手段】
【０００４】
上記の問題に鑑みて、本考案の第1の実施形態は流体案内装置であって、テーパー部及び前記テーパー部の底面の中心部からその中心軸方向に延びるガイドブッシュを有し、前記テーパー部が前記底面の縁部からその径方向に沿って、中心側へ前記ガイドブッシュまで延びる第一流体案内溝を有し、前記ガイドブッシュはその長手方向に沿って形成された第二流体案内溝を有し、前記第一流体案内溝が前記第二流体案内溝と連通しているテーパーピストンと、上部開孔とガイドパスを有するテーパーピストンガイド部とを備え、前記ガイドブッシュが前記ガイドパスに挿入され、前記ガイドパスは前記ガイドブッシュと互いに嵌め合い、そして前記テーパー部が前記ガイドパス内に入れず、前記ガイドパスは前記上部開孔と連通しており、前記第二流体案内溝は前記上部開孔と連通している。
【０００５】
本考案の第二実施形態によれば、側壁と底部を有する真空容器であって、前記側壁と前記底部とが開口部及び保存空間を画定し、前記底部の外側に前記保存空間と連通している凹部が設けられ、前記凹部に気密リング収納溝が設けられる容器本体と、前記凹部内に取付けられる圧力リリーフノブと、上部と側壁を有し、取外し可能に前記開口部に取付けられ、前記上部に第一取付孔と第二取付孔が設けられ、前記第二取付孔が前記第一取付孔の上方に配置され且つ前記第一取付孔と連通しており、前記第一取付孔が前記保存空間と連通しており、且つテーパー状孔壁を有し、前記上部の内側に気密リング収納溝が設けられる上蓋と、前記第一実施形態の流体案内装置と、を備え、前記テーパー部を前記第一取付孔に挿入し、且つ前記テーパー状孔壁とマッチングさせ、及び前記テーパーピストンガイド部を前記第二取付孔内に取付けている。
【考案の効果】
【０００６】
従来の真空タッパーや真空保存システムと比較して、本考案の流体案内装置は優れた漏れ防止能力を有し、本考案の流体案内装置を有する真空容器は少なくとも長時間の真空度を維持でき、低コスト、及び輸送に便利等の特徴を持つ。本考案の真空容器は一般家庭生活用途や工業用途に適用される。
【０００７】
本考案のその他実施形態及び特徴については、以下の本考案の原理範例を示す図を併せた詳細な説明からさらに明らかである。このほか、本考案に対して不要な混同を招かないために、本明細書においては周知の部材と原理については特に述べないものとする。
【図面の簡単な説明】
【０００８】
【図１】本考案による一実施例の真空容器の斜視図である。
【図２】図１の真空容器の分解図である。
【図３】本考案の容器本体と圧力リリーフノブの断面図である。
【図４】本考案の上蓋の断面図である。
【図５Ａ】本考案の流体案内装置のテーパーピストンの側面図である。
【図５Ｂ】図５Ａのテーパーピストンの平面図である。
【図５Ｃ】図５Ａのテーパーピストンの別の実施例の側面図である。
【図６Ａ】本考案の流体案内装置のテーパーピストンガイド部の側面図である。
【図６Ｂ】図６Ａのテーパーピストンガイド部の平面図である。
【図６Ｃ】図６Ｂのテーパーピストンガイド部のＡ’−Ａ’線に沿った断面図である。
【図７Ａ】図５Ａのテーパーピストンと図６Ａのテーパーピストンガイド部との組立側面図である。
【図７Ｂ】図７Ａに対応する平面図である。
【図８】本考案の透明カバーの断面図である。
【図９】本考案の真空表示部材の断面図である。
【図１０】本考案の漏れ防止プラグの側面図であり、前記漏れ防止プラグの柱状本体の底部が前記テーパーピストンのガイドブッシュの上縁と点接触をなすことを示す。
【考案を実施するための形態】
【０００９】
図１は、本考案の一実施例による真空容器１００の斜視図である。図２は、図１の真空容器１００の分解図である。図１と図２に示すように、真空容器１００は容器本体１、上蓋３、テーパーピストンガイド部５、圧力リリーフノブ１３、及びテーパーピストン２０を含み、さらに真空表示部材９及び透明カバー１１を含んでもよい。テーパーピストンガイド部５とテーパーピストン２０が本考案の流体案内装置を構成する。流体案内装置は更に漏れ防止プラグ７を含む。
【００１０】
容器本体１、上蓋３、テーパーピストンガイド部５、漏れ防止プラグ７、圧力リリーフノブ１３及びテーパーピストン２０は、例えばポリカーボネート樹脂（polycarbonate resin）、ポリプロピレン樹脂（polypropylene resin）、アクリル樹脂（acrylic resin）、ポリスチレン樹脂（polystyrene resin）、アクリロニトリルスチレン樹脂（acrylonitrile-styrene resin）、ＡＢＳ樹脂（acrylonitrile-butadiene-styrene resin）等の高分子材料からなるが、これらに限らず、実際の用途に応じて好適な材料を選んでもよい。
【００１１】
図３は、本考案の容器本体１と圧力リリーフノブ１３の断面図である。容器本体１は側壁１０１と底部１０２を有する。側壁１０１と底部１０２とが開口部１０３及び保存空間１０４を画定する。底部１０２の中央部に保存空間１０４の側へ凹んで凹部１０２ａを形成する。凹部１０２ａは通孔１０２ｂを介して保存空間１０４と連通している。圧力リリーフノブ１３は凹部１０２ａ内に取付けられる。
【００１２】
凹部１０２ａに気密リング収納溝１０２ｃが設けられる。気密リング収納溝１０２ｃが気密リング１５例えば、Ｏ型リングなど）を収納でき、容器本体１と圧力リリーフノブ１３との気密性を向上できる。凹部１０２ａは内ねじ１０２ｄを有し、圧力リリーフノブ１３は内ねじ１０２ｄと螺合する外ねじ１３１を有する。
【００１３】
図４は、本考案の上蓋３の断面図である。上蓋３は上部３１１と側壁３１２を有し、取外し可能に容器本体１の開口部１０３に取付けられて容器本体１を封じる。上部３１１に第一取付孔３１３及び第二取付孔３１４が設けられる。第二取付孔３１４は第一取付孔３１３の上方に配置され且つ第一取付孔３１３と連通している。第一取付孔３１３は通孔３１８を介して保存空間１０４と連通している。なお、第一取付孔３１３はテーパー状孔壁３１３ａを有してもよい。容器本体１の内部が負圧状態（即ち、真空状態）のとき、まず圧力リリーフノブ１３を回転して容器本体１の内部圧力と外部圧力が平衡になってから、上蓋３を開くことができる。
【００１４】
容器本体１の側壁１０１は外ねじ１０１ａを有し、上蓋３の側壁３１２は外ねじ１０１ａと螺合できる内ねじ３１２ａを有する。上蓋３の上部３１１の内側に気密リング収納溝３１７が設けられる。気密リング収納溝３１７は気密リング１７（例えばＯ型リング）を収納して容器本体１と上蓋３との気密性を向上する。
【００１５】
更に、上蓋３の上部３１１は第三取付孔３１５及び第三取付孔３１５と連通している通孔３１６を含んでもよい。第三取付孔３１５の孔壁は内ねじ３１５ａを有する。通孔３１６は容器本体１の保存空間１０４と連通している。
【００１６】
図５Ａは、本考案の流体案内装置のテーパーピストン２０の側面図であり、図５Ｂは、図５Ａのテーパーピストン２０の平面図である。図５Ａ及び図５Ｂに示すように、テーパーピストン２０はテーパー部２０１及びテーパー部２０１の底面の中心部からその中心軸方向に延びるガイドブッシュ２０２を有する。テーパー部２０１は上蓋３の第一取付孔３１３に挿入され、且つテーパー状孔壁３１３ａと互いに嵌め合い、ガイドブッシュ２０２は上蓋３の第二取付孔３１４内に配置される。テーパー部２０１は底面の縁部からその径方向に沿って、中心側へガイドブッシュ２０２まで延びる第一流体案内溝２０１ａを有し、ガイドブッシュ２０２はその長手方向に沿って形成された第二流体案内溝２０２ａを有する。前記第一流体案内溝２０１ａは第二流体案内溝２０２ａと連通している。本考案において、テーパー部２０１は、例えば円錐形状又は三角錐、四角錐等の角錐形状を有し、テーパー状孔壁３１３ａはテーパー部２０１と嵌め合える形状を有する。例えば、テーパー部２０１は円錐形状であり、テーパー状孔壁３１３ａはテーパー部２０１と嵌め合える円錐形状である。上記のテーパー状嵌め合う構造は気密性向上の効果をもたらす。
【００１７】
更に、テーパー部２０１のテーパー面に気密リング収納溝２０１ｂが設けられる。気密リング収納溝２０１ｂは気密リング２１（例えばＯ型リング）を収納してテーパー部２０１とテーパー状孔壁３１３ａとの気密性を向上できる。図５Ａには二つの気密リング収納溝２０１ｂ及び二つの気密リング２１を示しているが、必要に応じて気密リング収納溝２０１ｂ及び気密リング２１の数を変更できる。
【００１８】
なお、上記の高分子材料以外、テーパーピストン２０は弾性材料からなってもよい。或いは、テーパーピストン２０は弾性材料からなり、気密リング収納溝２０１ｂと気密リング２１を設置しないとする。さらに、図５Ｃ（図５Ａのテーパーピストン２０の別の実施例の側面図である）に示すように、テーパーピストン２０’は弾性材料からなり且つ気密リング収納溝２０１ｂと気密リング２１を設けず、テーパーピストン２０’のテーパー部２０１のテーパー面に直接気密リング２１と類似の気密構造２０１ｃを形成してもよい。気密構造２０１ｃは例えば環状凸部であるが、これには限られない。本考案において、上記の弾性材料は気密リングの材質と同じか又は類似であってもよい。例えば、上記の弾性材料はシリコーン（silicone）又は他の高分子弾性材料であるが、これに限られず、実際の用途に応じて適宜な弾性材料を選択すればよい。
【００１９】
図６Ａは、本考案の流体案内装置のテーパーピストンガイド部５の側面図である。図６Ｂは、図６Ａのテーパーピストンガイド部５の平面図である。図６Ｃは、図６Ｂのテーパーピストンガイド部５のＡ’−Ａ’線に沿った断面図である。図７Ａは、図５Ａのテーパーピストン２０と図６Ａのテーパーピストンガイド部５との組立側面図である。図７Ｂは、図７Ａに対応する平面図である。
【００２０】
テーパーピストンガイド部５は上蓋３の第二取付孔３１４内に取付けられ、且つ上部開孔５１２及びガイドパス５１３を有する。第二取付孔３１４の孔壁に内ねじ３１４ａが設けられ、テーパーピストンガイド部５は、内ねじ３１４ａと螺合する外ねじ５１１を有する。テーパーピストンガイド部５の上部開孔５１２の孔壁に制限部５１４を設けてもよい。テーパーピストン２０のガイドブッシュ２０２をガイドパス５１３に挿入することができる。なお、ガイドブッシュ２０２とガイドパス５１３の壁との間隙は例えば、ガイドブッシュ２０２がガイドパス５１３内で上下移動自在になるために、０．０２〜０．０３ｍｍの範囲である。ガイドパス５１３はガイドブッシュ２０２と嵌め合い、そしてテーパー部２０１がガイドパス５１３内に入れない。テーパーピストンガイド部５はそれぞれテーパーピストン２０及びテーパーピストン２０’と本考案に関わる流体案内装置を構成できる。上部開孔５１２は取外し可能に外部真空源と接続し、前記外部真空源は例えば、真空ポンプ、手動式排気デバイスなどであるが、これに限られない。
【００２１】
前記外部真空源が上部開孔５１２と接続して真空吸引する際、テーパーピストン２０は、図７Ａの矢印Ｂに示すように上昇し、ガイドブッシュ２０２を完全にガイドパス５１３に挿入させる。このとき、テーパー部２０１はテーパー状孔壁３１３ａとは密着せず、容器本体１内の空気は順に通孔３１８、第一取付孔３１３、第一流体案内溝２０１ａ、第二流体案内溝２０２ａ及び上部開孔５１２を通って排気される。容器本体１の内部が負圧状態のとき、テーパーピストン２０は、図７Ａの矢印Ａに示すように下降し、このときテーパー部２０１はテーパー状孔壁３１３ａと密着して容器本体１の真空度を維持する。ガイドパス５１３は真空吸引のプロセスでガイドブッシュ２０２の垂直方向での上下移動を確保し、且つ真空吸引が完成してから、テーパー部２０１が精確に第一取付孔３１３内にあるように確保して、角度差による気密不良が生じることを防ぐ。本考案において、例えばガイドブッシュ２０２は円柱体であり、ガイドパス５１３はガイドブッシュ２０２と嵌め合える形状を有する。つまり、テーパーピストンガイド部５は円形のガイドパス５１３を有する。
【００２２】
なお、テーパーピストンガイド部５の上面に工具差込孔５１５を設けてもよい。工具差込孔５１５に工具を挿入してテーパーピストンガイド部５の取外し又は取付けができる。
【００２３】
なお、真空容器１００は真空表示部材９及び透明カバー１１を有する。図８は、本考案の透明カバー１１の断面図であり、図９は、本考案の真空表示部材９の断面図である。
【００２４】
真空表示部材９と透明カバー１１は上蓋３の第三取付孔３１５内に取付けられ且つ上蓋３から露出している。透明カバー１１は真空表示部材９を覆って真空表示部材９を保護する。透明カバー１１に外部環境と連通している開孔１１１を設けてもよい。透明カバー１１は第三取付孔３１５の孔壁の内ねじ３１５ａと螺合する外ねじ１１２を有する。真空表示部材９はベローズ９１１及びベローズ９１１と連通している吸盤状底部９１２を含む。吸盤状底部９１２は上蓋３の通孔３１６を覆ってベローズ９１１と保存空間１０４とを互いに連通させる。保存空間１０４が負圧状態（即ち、真空状態）のとき、図９の矢印Ｃに示すように、ベローズ９１１は降下して収縮変形をする。保存空間１０４が常圧状態のとき、図９の矢印Ｄに示すように、ベローズ９１１が元の形状を回復できる。従って、使用者は目視で保存空間１０４が真空状態であるか否かを判断できる。なお、真空表示部材９は、気密リングの材質と同じ又は類似の弾性材料などの弾性材料からなるが、これに限られない。
【００２５】
更に、流体案内装置は漏れ防止プラグ７を含む。図１０は、本考案の漏れ防止プラグ７の側面図である。上記の真空吸引工程の完了後に、漏れ防止プラグ７を取外し可能にテーパーピストンガイド部５の上部開孔５１２内に取付けることにより、テーパーピストン２０が脱落しにくくなり、真空度を長時間維持できるようテーパーピストン２０を押さえることができる。漏れ防止プラグ７は頭部７１２及び頭部７１２の底面７１２ａから延びる柱状本体７１１を有する。
【００２６】
テーパーピストンガイド部５の上部開孔５１２の孔壁に内ねじ５１２ａが設けられ、漏れ防止プラグ７は、内ねじ５１２ａと螺合する外ねじ７１１ｂを有する。テーパーピストンガイド部５の制限部５１４は、漏れ防止プラグ７の頭部７１２の底面７１２ａを当てて漏れ防止プラグ７が下に向かって移動することを制限できる。
【００２７】
更に、柱状本体７１１の底部７１１ａはガイドブッシュの上縁と点接触をなしてテーパーピストンを押さえることができる。このほか、図１０に示す実施例において、図７Ａを例とすると、制限部５１４が漏れ防止プラグ７の頭部７１２の底面７１２ａを当てる際、柱状本体７１１の底部７１１ａはガイドブッシュ２０２の上縁と点接触をなし（例えばＰ点にのみ接触し）、よってテーパーピストン２０を押さえつける。この点接触方式で面接触方式の欠点を改善できる。具体的に、柱状本体１１の底部７１１ａが平坦状でガイドブッシュ２０２の上縁と面接触をなすとき、不均一な面接触のため、テーパーピストン２０を均一に抑えることができない可能性がある。本考案で開示する点接触方式では、テーパーピストン２０を均一に抑えつけることができ、テーパーピストン２０が脱落しにくく、長時間の真空度を維持することができる。
【００２８】
さらに、漏れ防止プラグ７の上面に工具差込孔７１２ｂを設けてもよい。工具差込孔７１２ｂに工具を挿入して漏れ防止プラグ７の取外し又は取付けが行える。
【００２９】
本考案の流体案内装置は、テーパーピストンとテーパーピストンガイド部の組合わせであり、真空容器１００の気密性を向上して真空容器１００の真空度を長時間維持できる。本考案の流体案内装置は真空容器に適用できるのみでなく、その他の高気密性が必要な流体搬送／保存システム、例えば液体／気体貯槽、液体／気体輸送パイプ等に適用が可能であるが、これに限られない。
【００３０】
以上、本考案の実施例を図面を参照して詳述してきたが、具体的な構成は、この実施例に限られるものではなく、本考案の要旨を逸脱しない範囲の設計変更等があっても、本考案に含まれる。  
【符号の説明】
【００３１】
１            容器本体
３            上蓋
５            テーパーピストンガイド部
７    漏れ防止プラグ
９    真空表示部材
１１    透明カバー
１３    圧力リリーフノブ
１５，１７，２１    気密リング
２０，２０’    テーパーピストン
１００    真空容器
１０１，３１２    側壁
１０１ａ，１１２，５１１，７１１ｂ    外ねじ
１０２，７１１ａ    底部
１０２ａ    凹部
１０２ｂ，３１６，３１８    通孔
１０２ｃ，２０１ｂ，３１７    気密リング収納溝
１０２ｄ，３１２ａ，３１４ａ，３１５ａ，５１２ａ    内ねじ
１０３    開口部
１０４    保存空間
１１１    開孔
２０１    テーパー部
２０１ａ    第一流体案内溝
２０１ｃ    気密構造
２０２    ガイドブッシュ
２０２ａ    第二流体案内溝
３１１    上部
３１３    第一取付孔
３１３ａ    テーパー状孔壁
３１４    第二取付孔
３１５    第三取付孔
５１２    上部開孔
５１３    ガイドパス
５１４    制限部
５１５，７１２ｂ    工具差込孔
７１１    柱状本体
７１２    頭部
７１２ａ    底面
９１１    ベローズ
９１２    吸盤状底部
Ａ，Ｂ，Ｃ，Ｄ    矢印
Ｐ    点
【図１】
0003216854.tif 000003
【図２】
0003216854.tif 000004
【図３】
0003216854.tif 000005
【図４】
0003216854.tif 000006
【図５Ａ】
0003216854.tif 000007
【図５Ｂ】
0003216854.tif 000008
【図５Ｃ】
0003216854.tif 000009
【図６Ａ】
0003216854.tif 000010
【図６Ｂ】
0003216854.tif 000011
【図６Ｃ】
0003216854.tif 000012
【図７Ａ】
0003216854.tif 000013
【図７Ｂ】
0003216854.tif 000014
【図８】
0003216854.tif 000015
【図９】
0003216854.tif 000016
【図１０】
0003216854.tif 000017